(57)【要約】ドア室内側のサムターンを施錠位置にて固定して錠自体をロックし、外部からのピッキング操作を確実に阻止することができるピッキング防止方法及びその装置を提供する。該装置は、一側開口形状をなすサムターンカバーの開口側端面に磁石を設け、該サムターンカバーでサムターンを覆うと共に、ドア面に貼付した磁性体に吸着させ、サムターンカバーにその開口側端面から進退自在に設けられたロック部材を、磁性体に形成された孔に挿通することにより、サムターンカバーの回動を阻止する。サムターンカバーは、その内部空間を、サムターンと一体に回動するように形成されている。
2002057574.tif 000002
【特許請求の範囲】
【請求項１】
磁気吸着機能を有するサムターンカバーの少なくとも一側に開口すべく形成された空間に、ドア錠の室内側サムターンと一体に回動すべく該サムターンを収容すると共に、前記サムターンカバーのドア側の面を、ドア面に付設した磁性体に吸着させ、前記サムターンカバーが前記サムターンと一体に回動して施錠状態となったときに、動作可能に前記サムターンカバーに設けられたロック部材を前記磁性体に係合することにより、ドア錠の回動をロックすることを特徴とするドアのピッキング防止方法。
【請求項２】
少なくとも一側に開口し、ドア錠の室内側サムターンをこれと一体に回動すべく収容する空間が形成されたサムターンカバーと、該サムターンカバーの開口側端面に設けられた磁石と、該磁石を一側の面に吸着し、他側の面をドア面に貼付される磁性体と、前記サムターンカバーに動作可能に設けられ、前記磁性体に係合するロック部材とを備えることを特徴とするドアのピッキング防止装置。
【請求項３】
前記ロック部材は、前記サムターンカバーの開口側端面に対して進退自在に設けられ、前記磁性体の対応する位置に設けられた凹所に挿入されるべくなしてあることを特徴とする請求項２記載のドアのピッキング防止装置。
【請求項４】
前記空間に充填される硬化性可塑材料を更に備えることを特徴とする請求項２又は３記載のドアのピッキング防止装置。
【請求項５】
前記空間は、充填される前記硬化性可塑材料の回動を阻止する形状をなしていることを特徴とする請求項４記載のドアのピッキング防止装置。
【請求項６】
リモートコントローラからの所定の信号を受信する受信手段と、該受信手段による受信信号に基づいて前記ロック部材を駆動する駆動手段とを更に備えることを特徴とする請求項２乃至５の何れかに記載のドアのピッキング防止装置。
【請求項７】
前記駆動手段は、ソレノイドを備えることを特徴とする請求項６記載のドアのピッキング防止装置。
【請求項８】
ドア錠の室内側サムターンを、該サムターンと一体に回動すべく覆うサムターンカバーと、前記サムターンの施錠位置からの回動に伴う前記サムターンカバーの回動を係止する係止手段とを備えるドアのピッキング防止装置であって、
前記係止手段は、
前記サムターンカバーに係脱自在に設けられたロック部材と、
該ロック部材を前記サムターンカバーに係脱動作させる駆動手段と
を備えることを特徴とするドアのピッキング防止装置。
【請求項９】
前記ロック部材は、ピン状をなし、前記サムターンカバーの回動方向に対して法線方向に動作すべくなしてあることを特徴とする請求項８記載のドアのピッキング防止装置。
【請求項１０】
前記係止手段は、前記ロック部材及び前記駆動手段を一体に内装する筐体を更に備えることを特徴とする請求項８又は９記載のドアのピッキング防止装置。
【請求項１１】
前記係止手段は、一側をドア面に貼付され、他側に前記筐体を保持する保持手段を更に備え、該保持手段は、前記ドア面に対する前記筐体の位置を調整可能に構成されていることを特徴とする請求項８乃至１０の何れかに記載のドアのピッキング防止装置。
【請求項１２】
前記保持手段は、前記筐体を保持するホルダと、該ホルダと前記ドア面との間に介在され、該ドア面に貼付される磁性材料からなる台座と、前記ホルダの前記台座側の面に設けられた磁石とを備えることを特徴とする請求項１１記載のドアのピッキング防止装置。
【請求項１３】
前記保持手段は、前記ドア面への貼付側の面に貼付された両面粘着テープを更に備えることを特徴とする請求項１１又は１２記載のドアのピッキング防止装置。
【請求項１４】
前記保持手段は、前記筐体を反転可能に保持し、前記ロック部材は、前記筐体の反転軸からオフセット配置されていることを特徴とする請求項１１乃至１３の何れかに記載のドアのピッキング防止装置。
【請求項１５】
前記係止手段は、外部から所定の信号を受信する信号受信部を更に備え、前記駆動手段は、前記信号受信部による受信信号に基づいて動作すべくなしてあることを特徴とする請求項８乃至１４の何れかに記載のドアのピッキング防止装置。
【請求項１６】
前記所定の信号を送信するリモートコントローラを更に備えることを特徴とする請求項１５記載のドアのピッキング防止装置。
【請求項１７】
前記サムターンカバーは、前記サムターンと一体に回動すべく該サムターンを収容する凹所と、前記サムターンの回動方向周面の少なくとも一箇所に設けられた係合部とを備え、前記ロック部材は、前記係合部を係止することによって前記サムターンカバーと共に前記サムターンの回動を阻止すべくなしてあることを特徴とする請求項８乃至１６の何れかに記載のドアのピッキング防止装置。
【請求項１８】
前記サムターンカバーは、前記凹所に充填される硬化性可塑材料を更に備えることを特徴とする請求項１７記載のドアのピッキング防止装置。
【発明の詳細な説明】
〔技術分野〕
本発明は、ドアを閉め、施錠した状態で、ドア室内側のサムターンを固定することによって、ドア錠をロックして外部からの開錠を阻止するドアのピッキング防止方法及びその装置に関する。
〔技術背景〕
従来から、施錠したドアのピッキングを防止する方法として、ドア錠自体の内部構造を改善すること、又はドアの内側つまり室内側にドア係止金具を特設すること等の手段が採られている。
しかしながら、上述の如き従来の防犯ドア錠あるいは防犯器具は、高価であり、取り付けが複雑であると共に、完全にピッキングを防止するのが困難であるという問題があった。
〔発明の開示〕
本発明は、上記のような問題点を解決するためになされたもので、平易な操作方法で確実な防犯機能を発揮し、しかも専門家の手を煩わすことなく簡単に取り付けができ、長期間の使用に耐えるドアのピッキング防止方法及びその装置を提供することを目的としている。
本発明に係るドアのピッキング防止方法は、磁気吸着機能を有するサムターンカバーの少なくとも一側に開口すべく形成された空間に、ドア錠の室内側サムターンと一体に回動すべく該サムターンを収容すると共に、前記サムターンカバーのドア側の面を、ドア面に付設した磁性体に吸着させ、前記サムターンカバーが前記サムターンと一体に回動して施錠状態となったときに、動作可能に前記サムターンカバーに設けられたロック部材を前記磁性体に係合することにより、ドア錠の回動をロックすることを特徴とする。
また、本発明に係るドアのピッキング防止装置は、少なくとも一側に開口し、ドア錠の室内側サムターンをこれと一体に回動すべく収容する空間が形成されたサムターンカバーと、該サムターンカバーの開口側端面に設けられた磁石と、該磁石を一側の面に吸着し、他側の面をドア面に貼付される磁性体と、前記サムターンカバーに動作可能に設けられ、前記磁性体に係合するロック部材とを備えることを特徴とする。
上記発明によれば、ドア錠の室内側サムターンは、一側に開口を有し、この開口の内側の空間を有したサムターンカバーにより収容され、該サムターンカバーと一体となって回動する。このサムターンカバーは、磁気吸着機能を有しており、上述の如くサムターンを覆った状態でその開口側端面を、ドア面に貼付された磁性体に吸着する。
この状態にあっては、例えば、サムターンカバーと磁性体との吸着面が平面である場合には、サムターンカバーの磁気吸着力と、これら吸着面間の摩擦係数に応じた力とでのみ、ドアの外部からの開錠操作に抵抗することができる。一方、室内側からは、これよりもずっと小さい力で、サムターンカバーを把持してサムターンを回動させることができる。従って、この摩擦力を適切に設定することによって、後述するロック部材なしでも十分なピッキング防止効果を得ることが可能である。
確実にピッキングを防止するためには、サムターンが施錠状態にあるときに、該サムターンを覆うサムターンカバーに動作可能に設けられたロック部材を磁性体に係合させて、サムターンカバーの回動、ひいてはサムターンの回動を阻止する。
上記磁性体は、磁性材料を包含して形成されたものであって、サムターンカバーが吸着でき、ドア錠の外部からの開錠力に打ち勝つのに十分な吸着力を発生するような吸着面を有することが望ましい。また、吸着面の性状を粗くしたり、吸着面に凹凸を設ける等して上記開錠力に対抗することも可能である。なお、磁性体は、比較的肉厚の板状のもののほか、肉薄のシート状のものであってもよい。但し、本発明においては、磁性体の形状を限定するものではなく、サムターンカバーの開口側端面の形状に応じて様々な形状とすることが可能である。
また、磁性体のドア面への取り付けは、後で取り付け前の元の状態に戻すことができるように、例えば、剥離剤で剥離可能な両面粘着テープ，接着剤等を使用して行うことが望ましい。これは、特に賃貸住宅での取り付けにあっては有利である。
このように、ドアへの実質的な加工なしに容易に設置することが可能であるので、業者に取り付け工事を依頼する必要もなく、また、非常に簡易な構成であって、各部の強度を十分にとっておくことにより、長期間の使用にも耐えることができる。
上記ロック部材としては、様々な形状及び動作態様のものを採用することが可能であるが、例えば、鉤状に形成して磁性体に引っ掛けるように構成することも可能である。また、ロック部材をピン状に形成し、サムターンカバーの開口側端面に対して進退自在に設け、該開口側端面から突出するロック部材の先端部を、磁性体に係合させることも可能である。より好ましくは、磁性体の対応する位置にロック部材の径に応じた大きさの凹所（孔であってもよい）を形成し、これにロック部材の先端部を挿入するようにする。
サムターンとサムターンカバーとの一体回動を実現するために、サムターンを収容するサムターンカバーの空間を、該サムターンの形状に一致させることが望ましいが、実際には、サムターンの形状には様々なタイプのものが存在するため、１種類のサムターンカバーでこれら全てのタイプのサムターンに対応することは困難である。そこで、上記空間の形状及び大きさを、これらのタイプのサムターンを収容することができるように形成しておき、サムターンに占有されない隙間を、硬化性可塑材料で充填する。
実際の使用にあっては、硬化性可塑材料をサムターンカバーの上記空間に充填しておき、この状態でサムターンカバーをサムターンに押し付ける。硬化性可塑材料は、好ましくは、空気中にて経時硬化するものであって、比較的短時間で硬化する速乾性のものを採用する。このように、硬化性可塑材料を上記空間内でサムターンの形状に容易に成形することができる一方、硬化性可塑材料をサムターンに吸着保持させることが可能である。
サムターンを収容するサムターンカバーの空間は、サムターンの回動軸方向視で、楕円形，多角形等、充填される硬化性可塑材料が内部で動かないような形状としておくことが望ましい。また、上記空間を略円形とすることも可能であるが、その場合には、内面に凹凸を形成する等して、回り止めを行うことが望ましい。
また、上記ピッキング防止装置は、リモートコントローラからの施錠及び開錠信号等の指令信号を受信し、該指令信号に応じて上記ロック部材を駆動手段により駆動するように構成することも可能である。これにより、在室時だけでなく、外出時であっても本発明に係るピッキング防止装置を利用することが可能となる。なお、駆動手段は、ソレノイド，ギヤ付きモータ等の様々なタイプのアクチュエータを備えることが可能である。
また、本発明に係る別のピッキング防止装置は、ドア錠の室内側サムターンを、該サムターンと一体に回動すべく覆うサムターンカバーと、前記サムターンの施錠位置からの回動に伴う前記サムターンの回動を係止する係止手段とを備えるドアのピッキング防止装置であって、前記係止手段は、前記サムターンカバーに係脱自在に設けられたロック部材と、該ロック部材を前記サムターンに係脱動作させる駆動手段とを備えることを特徴とする。
上記発明によれば、ドア錠の室内側サムターンと一体に回動するように該サムターンを覆うサムターンカバーに係脱自在とされたロック部材を、駆動手段により係脱動作させる。つまり、例えば、サムターンが施錠状態にあるときに、ロック部材がサムターンカバーを係止することにより、サムターンカバーの回動、ひいてはサムターンの回動を阻止することができ、確実なピッキング防止を実現することができる。
上記ロック部材としては、様々な形状及び動作態様のものを採用することが可能であるが、例えば、鉤状に形成してサムターンカバーに引っ掛けるように構成することも可能である。また、ロック部材を、ピン状に形成し、サムターンカバーの回動方向に対して法線方向へ進退するように駆動し、ロック部材の先端部をサムターンカバーに係合させることも可能である。より好ましくは、サムターンカバーの対応する回動方向位置にロック部材の径に応じた大きさの凹所（孔であってもよい）を形成し、これにロック部材の先端部を挿入するようにする。
上記ロック部材と、該ロック部材を駆動する駆動手段とを筐体内に収納し、ユニット部品として提供することも可能である。
なお、上記筐体は、例えばドア面に取り付けられるが、その取り付け位置の調整を容易にするために、筐体を、これを保持する保持手段を介してドア面に取り付けることが望ましい。この場合には、保持手段は、ドア面に対する筐体の調整後の位置が、例えばドアの開閉操作による振動で変わらないように、固定手段を設けてもよい。
具体的には、上記保持手段を、磁石が設けられたホルダと、磁性材料からなる台座とから構成し、筐体をホルダに保持させると共に、該ホルダを、ドア面に貼付される台座に磁気吸着させることが可能である。
上記保持手段のドア面への取り付けは、後で取り付け前の元の状態に戻すことができるように、例えば、剥離剤で剥離可能な両面粘着テープを使用して行うことが望ましい。これは、特に賃貸住宅での取り付けにあっては有利である。
このように、ドアへの実質的な加工なしに容易に設置することができるので、業者に取り付け工事を依頼する必要もなく、また、非常に簡易な構成であって、各部の強度を十分にとっておくことにより、長期間の使用にも耐えることができる。
また、上記保持手段を、筐体を反転可能に保持するように構成し、この反転軸からオフセットしてロック部材を配置することにより、筐体を保持手段に反転保持させるだけで、容易にロック部材の係合位置を変更することができ、保持手段のドア面への取り付けに際して、様々な条件に対応することが可能となる。
また、上記係止手段は、リモートコントローラからの施錠及び開錠信号等の指令信号を受信し、該指令信号に応じて上記ロック部材を駆動手段により駆動するように構成することも可能である。これにより、在室時だけでなく、外出時であっても本発明に係るピッキング防止装置を利用することが可能となる。なお、駆動手段は、ソレノイド，ギヤ付きモータ等の様々なタイプのアクチュエータを備えることが可能である。
サムターンとサムターンカバーとの一体回動を実現するために、サムターンを収容するサムターンカバーの凹所を、該サムターンの形状に一致させることが望ましいが、実際には、サムターンの形状には様々なタイプのものが存在するため、１種類のサムターンカバーでこれら全てのタイプのサムターンに対応することは困難である。そこで、上記凹所の形状及び大きさを、これらのタイプのサムターンを収容することができるように形成しておき、サムターンに占有されない隙間を、硬化性可塑材料で充填する。
実際の使用にあっては、硬化性可塑材料をサムターンカバーの上記凹所に充填しておき、この状態でサムターンカバーをサムターンに押し付ける。硬化性可塑材料は、好ましくは、空気中にて経時硬化するものであって、比較的短時間で硬化する速乾性のものを採用する。このように、硬化性可塑材料を上記空間内でサムターンの形状に容易に成形することができる一方、硬化性可塑材料をサムターンに吸着保持させることが可能である。
サムターンを収容するサムターンカバーの空間は、サムターンの回動軸方向視で、楕円形、多角形等、充填される硬化性可塑材料が内部で動かないような形状としておくことが望ましい。また、上記空間を略円形とすることも可能であるが、その場合には、内面に凹凸を形成する等して、回り止めを行うことが望ましい。
〔発明を実施するための最良の形態〕
以下、本発明の実施の形態について添付の図面に基づいて説明する。
（第１の実施の形態）
図１（ａ）〜（ｃ）は、本発明の第１の実施の形態に係るドアのピッキング防止装置の各部を示す縦側断面図であり、図１（ａ）はサムターンカバー、図１（ｂ）は磁性体、図１（ｃ）は硬化性可塑材料をそれぞれ示している。また、図２（ａ）は、図１（ａ）に示したサムターンカバーのＡ−Ａ線矢視図、図２（ｂ）は、図１（ｂ）に示した磁性体のＢ−Ｂ線矢視図である。また、図３（ａ）は、ロック部材と磁性体の孔との関係を示す部分図、図３（ｂ）は、図３（ａ）のＣ−Ｃ線断面図である。さらに、図４（ａ）は、サムターンカバーを吸着固定した状態を示す縦側断面図、図４（ｂ）は、サムターンカバーを９０°回動操作した施錠状態を示す部分縦側断面図である。
これらの図において、１は例えば合成樹脂材料を用いて成形された片側開口を有する椀状のサムターンカバーであり、これは後述するようにドアＣの室内側に位置するサムターンＤを被嵌し、該サムターンＤと一体に回動するものである。サムターンカバー１の開口内部には所要の大きさの空間２が形成され、該空間２を形成するサムターンカバー１の内壁には、後述する硬化性可塑材料１３が空間２内で乾燥硬化したときの回り止め手段が設けられている。
即ち、上図に示す例では、回り止め手段として数条のリブ３を突設してあるが、これに代えて、例えば内壁を多角形，楕円形等に形成してもよい。４はサムターンカバー１の開口側端面５に沿って埋設配置された任意個数の磁石である。６は略Ｌ字形のロック部材であり、サムターンカバー１の側周壁の一箇所に設けた摺動孔７に収容されている。ロック部材６は、その折曲突出部６ａが摺動孔７に連続する切欠き溝８をガイドとして規定量摺動し、その軸部が開口側端面５から出入動作する。
図３（ａ）に示す９は、ロック部材６の折曲突出部６ａを嵌入する、切欠き溝８に連続する係止部であり、ロック部材６を開口側端面５から突出させた姿勢を維持させるために設けられたものである。
１０は環状をなす磁性体であり、サムターンカバー１の開口側端面５に配された磁石４に対応する平面１１と、ロック部材６の先端が嵌入される孔（又は溝）１２とが形成されている。なお、本実施の形態においては、磁性体１０の形状を環状としているが、本発明においてはこれに限定するものではなく、チャネル状、及び中央にサムターンＤを挿通する切欠きを形成された矩形等の様々な形状とすることが可能であり、好ましくは、サムターンカバー１の開口側端面５の形状に合わせて形成される。
また、本実施の形態においては、サムターンカバー１を磁性体１０を介してドアＣに取り付けるように構成してあるが、ドアＣが磁性材料から構成されている場合には、ドアＣに直接取り付けるようにしてもよい。また、磁性体１０は、サムターンカバー１をドアＣに取り付けるための補助部材として利用するものであるが、その形状は本実施の形態の如き板状に限定されるものではない。
１３は速乾硬化性可塑材料であり、サムターンカバー１内に充填するとき以外、つまり使用するとき以外は外気と遮断して所要の可塑性を保有させるための被覆１４が施されている。
本発明の方法を実施するための装置は、図１（ａ）〜（ｃ）に示すようにサムターンカバー１と、磁性体１０と、硬化性可塑材料１３とが分割された部品として供給される。硬化性可塑材料１３としては、例えばエポキシ系の充填材料が好ましい。
そこで、まず、磁性体１０を図４（ａ）に示すようにドアＣの室内側に位置するサムターンＤを取り囲む箇所に強力接着剤又は強力両面粘着テープ，又はビス等を用いて固定する。この際、磁性体１０の孔１２を、例えば頂点位置から時計回り９０°真横（ドアＣの室内側から見て９時の位置）に位置決めする。
次に、サムターンカバー１の空間２内に、被覆１４を取り除いた硬化性可塑材料１３を充填し、これが硬化を始めないうちに、サムターンカバー１でサムターンＤを被嵌し、サムターンＤを硬化性可塑材料１３内に嵌没させると共に、サムターンカバー１の開口側端面５を磁性体１０に吸着させる。この状態では、サムターンカバー１のロック部材６は頂点位置（ドアＣの室内側から見て１２時の位置）にあって施錠されていない。
ここで、硬化性可塑材料１３の完全な硬化（例えば約１時間）を待って、サムターンカバー１を９０°時計方向へ回動すると、図４（ｂ）に示すようにドア錠は施錠され、ロック部材６は孔１２と一致する。この状態で、ロック部材６の折曲突出部６ａを押すと、ロック部材６の先端部が孔１２に嵌入され、施錠状態が維持されてピッキングが防止されるのである。このような姿勢でロック部材６の折曲突出部６ａを係止部９へ嵌入しておけば、ドアＣの振動等によってロック部材６がずれることもない。
一方、開錠する場合には、ロック部材６を孔１２から引き抜いた状態で、サムターンカバー１を反時計方向へ９０°回動すればよい。
（第２の実施の形態）
図５は、本発明の第２の実施の形態に係るドアのピッキング防止装置に用いるサムターンカバーの部分側断面図である。図５中、１５はサムターンカバー１の側周壁の一箇所に挿入した状態で設けられたソレノイドであり、ドアの内外遠隔からの指令信号によって作動させることができるように構成されている。
具体的には、ピッキング防止装置は、制御部２１１及び信号受信部２１２等を備え、例えば、信号受信部２１２により受信した指令信号を制御部２１１に与える。制御部２１１は、与えられた指令信号に応じてソレノイド１５に継続的に通電し、その出力軸を進出させる。また、例えば、信号受信部２１２が再び指令信号を受信するのに応じて制御部２１１は、ソレノイド１５への通電を停止し、その出力軸を退入させる。
このように、本第２の実施の形態では、ソレノイド１５の出力軸がロック部材６として機能するのである。
本実施の形態においては、サムターンカバー１側にソレノイド１５を設けた場合を示したが、これに代えて、ソレノイド１５をドアＣ側に設け、その動作をリンク又はカム等の機械的手段を介してロック部材６に伝達させ、これを出入動作させるようにしてもよい。また、本実施の形態においては、ロック部材６の動作にソレノイド１５を利用したが、これに代えて、例えばギヤ付きの直流モータを利用することも可能である
（第３の実施の形態）
図６は、本発明の第３の実施の形態に係るピッキング防止装置の全体構成を示す斜視図である。本実施の形態に係るピッキング防止装置は、サムターンカバー１ａと、施錠状態にあるサムターンカバー１ａの回動を係止する係止手段１００とから構成されている。上記第１及び第２の実施の形態においては、ロック部材６が、サムターンカバー１ａ側に設けられている構成を示したが、本実施の形態においては、相当するロック部材２０１を係止手段１００側に設けてある。
係止手段１００は、ドアＣの室内側の面（以下、「ドア面」と称す）Ｃｆに設置され、該ドア面Ｃｆに沿って上記ロック部材２０１を出入自在に備えている。一方、サムターンカバー１ａには、ロック部材２０１の出入動作に応じてこれに係合する少なくとも１つの係合部３０を備えている。
以後、説明の簡略化のため、ドアＣの室内側からドア面Ｃｆに向かって見た状態の方向を基準として説明する。
サムターンカバー１ａは、ドア錠のタイプに応じて様々な形状のものが用意されており、何れも同一の係止手段１００を利用できるように構成されている。
例えば、図７（ａ）に示す如きタイプのドア錠にあっては、図７（ｂ）に示す如き所謂トライアングル型のサムターンカバー１ａが使用される。このタイプのサムターンカバー１ａは、全体として横長矩形ブロック状をなし、その中央部に、サムターンＤの形状に形成されたスリット状の開口部（空間２）を備えている。該空間２は、前後方向に開口しており、先端部に向かって細くなったサムターンＤに合わせて前後方向にテーパ状に形成されている。また、テーパ状のサムターンＤからの脱落防止のために、サムターンカバー１ａの側面（図７（ｂ）においては片側のみ図示）には、空間２内へその先端部を突出すべく締め付け可能なネジ３１がそれぞれ螺合している。
サムターンカバー１ａの上面には、ロック部材２０１の左右方向の幅寸法に応じた間隙を有する係合部３０が突設されている。
また、図８（ａ）に示す如きタイプのドア錠にあっては、図８（ｂ）に示す如きＵＦＯ型のサムターンカバー１ｂが使用される。このタイプのサムターンカバー１ｂは、全体として端面を前後方向へ向けた短寸円柱状をなし、そのドア面Ｃｆ側の端面に、サムターンＤの形状に形成されたスリット状の開口部（空間２、図示せず）を備えている。このサムターンカバー１ｂの周面の上下左右の位置には、９０°ずつずらして４つの係合部３０が等配されている。
また、図９（ａ）に示す如きタイプのドア錠にあっては、図９（ｂ）に示す如きエッグ型のサムターンカバー１ｃが使用される。このタイプのサムターンカバー１ｃは、全体として端面を前後方向へ向けた短寸円柱状をなし、そのドア面Ｃｆ側の端面に、サムターンＤの形状に形成された楕円状の開口部（空間２、図示せず）を備えている。このサムターンカバー１ｃの周面の一箇所（図９（ｂ）においては上端）には、１つの係合部３０が配されている。
また、図１０（ａ）に示す如きタイプのドア錠にあっては、図１０（ｂ）に示す如きブーツ型のサムターンカバー１ｄが使用される。このタイプのサムターンカバー１ｄは、全体として前後方向へ所定の厚さを有した逆Ｌ字状をなし、その一方の辺部に沿ってサムターンＤの形状に形成され、前後方向に開口する他茄子状の開口部（空間２）を備えている。このサムターンカバー１ｄの各辺部の先端には、係合部３０がそれぞれ配されている。
さらに、例えば図１１（ａ）に示す如き上記以外のタイプのドア錠にあっては、図１１（ｂ）に示す如きラビット型のサムターンカバー１ｅが使用される。このタイプのサムターンカバー１ｅは、全体として端面を前後方向へ向けた短寸円柱状をなし、上記第１及び第２の実施の形態に示した如く、様々な形状のサムターンＤを収容できる大きさとされた略円形の開口部（空間２、図示せず）をそのドア面Ｃｆ側の端面に備えている。該空間２には、サムターンカバー１ｅのサムターンＤへの取り付けに際して既述の如く硬化性可塑材料（図示せず）が充填される。また、このサムターンカバー１ｅの周面の一箇所（図１１（ｂ）においては上端）には、１つの係合部３０が配されている。
以上の如き様々なドア錠のタイプに応じてサムターンカバー１ａ〜１ｅの中から適切なものが選択され、選択されたサムターンカバーは、サムターンＤが施錠状態にあるときに、通常は、その何れかの係合部３０が上方を向くように取り付けられる。
次に、係止手段１００について詳述する。図６に示したように、係止手段１００は、ロック部材２０１を備えた装置本体２００と、該装置本体２００をドア面Ｃｆに保持する保持手段としてのホルダ３００及び台座４００とから構成されている。
図１２に示す如く、装置本体２００は、合成樹脂製の縦長矩形状の筐体２００ｃの内部にその各部を収納した構成とされ、その下面からロック部材２０１が進退自在に配されている。筐体２００ｃの前面上部は、内蔵される電池（図示せず）の出し入れ用の蓋２０２となっており、該蓋２０２は、その下部を押しながら上方へずらすことによって開放される一般的なものである。
筐体２００ｃの左右の側面の上部には、所定の長さを有する揺動軸２０４がそれぞれ突設され、また、下部には、螺設されたネジ孔に止めネジ２０５がそれぞれ螺合されている。
一方、ホルダ３００は、装置本体２００の筐体２００ｃを、ドア面Ｃｆ側及び左右両側の三方から覆う態様に、合成樹脂材料から成形されており、筐体２００ｃの左右両側の側面を覆うアーム部分３１０の上端には、上方から切り欠く態様に揺動軸溝３０４がそれぞれ形成されている。また、アーム部分３１０の下部には、前面側から切り欠く態様に角度調整溝３０５がそれぞれ形成されている。
このような構成により、装置本体２００は、ホルダ３００のアーム部分３１０間に前側上方から填め込まれ、その左右の揺動軸２０４をホルダ３００の揺動軸溝３０４に上方から填め込まれる。この際、装置本体２００の左右の止めネジ２０５の軸部が、これらに対応する位置に配された角度調整溝３０５にそれぞれ填め込まれ、この状態で、左右のアーム部分３１０の外側にある止めネジ２０５の頭部が、手等で仮締めされ、装置本体２００がホルダ３００にセットされる。従って、装置本体２００は、止めネジ２０５を緩めることにより、揺動軸２０４を支点に前後方向へその姿勢を変えられるようになっている。姿勢変更後の状態は、止めネジ２０５を締め込むことによって維持することができる。
図１３は、装置本体２００がホルダ３００にセットされた状態を、ドア面Ｃｆ側から示した斜視図であり、ホルダ３００のドア面Ｃｆ側の面には、一又は複数の磁石３０１（図１３においては３つ）が配されている。また、この面には、複数の位置決めピン３０２（図３においては４つ）が突設されている。
ホルダ３００は、上記磁石３０１により、ドア面Ｃｆの適切な位置に貼付される磁性材料からなる台座４００に吸着される。該台座４００は、その一面に強力な両面粘着テープ４０３を貼付されており、これによって、ドア面Ｃｆに取り付けられる。本実施の形態においては、ホルダ３００を台座４００を介してドア面Ｃｆに取り付けるように構成してあるが、ドア面Ｃｆが磁性材料から構成されている場合には、ドア面Ｃｆに直接取り付けるようにしてもよい。また、台座４００は、ホルダ３００をドア面Ｃｆに取り付けるための補助部材として利用するものであるが、その形状は本実施の形態の如き板状に限定されるものではない。
また、台座４００には、他面に吸着されるホルダ３００の位置決めピン３０２に対応した位置に、上下方向に長い位置調整溝４０２がそれぞれ穿設されている。このように、装置本体２００を保持するホルダ３００は、ドア面Ｃｆに貼付される台座４００に対して上下方向へ位置を変えられるようになっている。
図１４（ａ）及び（ｂ）に示す如く、装置本体２００は、その下面にてロック部材２０１を進退動作させ、その下方位置にあるサムターンカバー１ｃの係合部３０の間隙に填まり込んで、サムターンカバー１ｃの回動を係止するようになっている。なお、以後の実施の形態においては、エッグ型のサムターンカバー１ｃについて例示しているが、他のタイプのサムターンカバーについても同様であってここでは説明を省略する。
図１４（ａ）に示す如きロック部材２０１が筐体２００ｃ内に引き込まれた状態（係止解除状態）にあっては、ロック部材２０１は、サムターンカバー１ｃに干渉することはなく、サムターンカバー１ｃと共にその内部のサムターンＤ（ここでは図示せず）を自由に回動させることができる。一方、サムターンカバー１ｃを、サムターンＤの施錠位置に回動させると、この状態においては、前述した如くサムターンカバー１ｃの係合部３０が上方を向くように設定されており、図１４（ｂ）に示す如く、ロック部材２０１が突出せしめられた状態（係止状態）にあっては、ロック部材２０１は、サムターンカバー１ｃの係合部３０の間隙に填まり込み、サムターンカバー１ｃの回動が阻止される。これによって、ピッキング操作によってサムターンカバー１ｃの内部のサムターンＤが回動され、開錠位置に操作されるのを確実に阻止することができる。
図１５に示す如く、装置本体２００は、制御部２１１と、該制御部２１１に接続された手動スイッチ２０３、信号受信部２１２、ピン駆動部２１０、及びブザー２１３等とを備えている。
手動スイッチ２０３は、図１２に示した如く、筐体２００ｃの上面に設けられた押しボタン式のスイッチである。信号受信部２１２は、係止手段１００が有するリモートコントローラ５００からの係止及び係止解除信号を受信する。
リモートコントローラ５００は、自動車の所謂「キーレスエントリ」と同様の通信方式を利用した小型のものであり、係止操作ボタン５０２（図１５中「ＬＯＣＫ」で示す）と、係止解除操作ボタン５０３（図１５中「ＯＰＥＮ」で示す）と、これらのボタンの操作時に点灯するように構成された操作確認ランプ５０１とを備えている。リモートコントローラ５００は、係止操作ボタン５０２が押下された場合には係止信号を送信し、係止解除操作ボタン５０３が押下された場合には係止解除信号をそれぞれ送信するようになっている。
ピン駆動部２１０は、図示しない直流モータの回転力を減速ギヤにより減速してロック部材２０１の進退動作に変換する。ブザー２１３は、制御部２１１の指示に応じて通電され、装置本体２００の動作確認音等を発する。
以上の如き構成により、例えば、手動スイッチ２０３が押下された場合、又は信号受信部２１２がリモートコントローラ５００から係止信号を受信した場合には、制御部２１１がこれを認識し、ピン駆動部２１０に通電してロック部材２０１を突出するように動作させる一方、ブザー２１３に通電して動作完了を報知する。
その後、手動スイッチ２０３が再び押下された場合、又は信号受信部２１２がリモートコントローラ５００から係止解除信号を受信した場合には、制御部２１１がこれを認識し、ピン駆動部２１０のモータを逆転させてロック部材２０１を引き込むように動作させる一方、ブザー２１３に通電して動作完了を報知する。
次に、図１６（ａ）及び（ｂ）を参照して係止手段１００の調整方法について詳述する。装置本体２００は、左右及び前後にそれぞれ略対象な形状をなしており、中央の縦軸Ｌ（図１６（ａ）及び（ｂ）において一点鎖線で示す）回りに前後逆向きに反転して取り付けることができるようになっている。
これに対して、装置本体２００のロック部材２０１は、この縦軸Ｌから左右の一方側へオフセットして配置されており、これによって、装置本体２００を反転して設置したときに、ロック部材２０１の左右位置を変えることができ、本実施の形態に係るピッキング防止装置を、図１６（ａ）に示す如き外側へ右に開くタイプのドアＣ、及び図１６（ｂ）に示す如き左へ開くタイプのドアＣにも無理なく取り付けることができる。
また、図１７（ａ）及び（ｂ）に示す如く、前述した左右の止めネジ２０５を緩めてこれらの軸部を角度調整溝３０５に沿って移動させることにより、装置本体２００のドア面Ｃｆに対する姿勢（図１７（ｂ）においては角度α）を変更することができるので、例えば、ドア面ＣｆからサムターンＤまでの距離が大きい場合であっても、ロック部材２０１の先端部の位置を調整して、該先端部を適切にサムターンカバー１ｃの係合部３０に係合させることができる。
また、図１８（ａ）及び（ｂ）に示す如く、前述した磁石３０１により台座４００に吸着しているホルダ３００は、そのドア面Ｃｆ側に突出する位置決めピン３０２を台座４００の位置調整溝４０２に沿って移動させることにより、ロック部材２０１の先端部がサムターンカバー１ｃの係合部３０に係合する長さｄを適切に調整することもできる。なお、図１８（ｂ）には、図１８（ａ）に対してホルダ３００を下方へ移動した状態のみを示してあるが、位置調整溝４０２の設定に応じて上方へ移動することも可能であることは言うまでもない。
さらに、図１９に示す如く、サムターンＤの上方にドアチェーンのチェーンレール６００が設置されている場合には、ここに係止手段１００を設置することができないことがあるため、サムターンＤの側方（図１９においては右側）に配置することも可能である。このような場合には、上記ＵＦＯ型のサムターンカバー１ｂのように、サムターンカバーを、複数の係合部３０を有するように構成することが望ましい。
以上の実施の形態においては、ホルダ３００が、装置本体２００をドア面Ｃｆ側、及びアーム部分３１０により左右両側から覆う構成としているが、これに加えて、下側からも覆い、この下側保持部分に、ロック部材２０１を挿通可能な切欠き又は孔を形成する構成としてもよい。この場合には、ロック部材２０１は、左右方向への曲げに対して強化される。さらに、この場合、角度調整溝３０５は、アーム部分３１０にではなく、この下側保持部分に形成することも可能である。
なお、本発明に係るピッキング装置の係止手段１００は、例えば、そのロック部材２０１をより硬質な材料から形成し、本実施の形態の如きドアＣのほか、引き戸等の所謂「カンヌキ」として利用することも可能である。特に、カンヌキとして利用する場合には、ロック部材２０１に左右方向の大きな曲げ力が加わるため、上述の如くホルダ３００に下側保持部分を形成することが望ましい。
〔産業上の利用の可能性〕
本発明に係るドアのピッキング防止方法及び装置によれば、平易な操作方法で確実な防犯機能を発揮し、しかも専門家の手を煩わすことなく簡単に取り付けができ、長期間の使用に耐えることができる。
【図面の簡単な説明】
図１（ａ）〜（ｃ）は、本発明の第１の実施の形態に係るドアのピッキング防止装置の部品を示す縦側断面図である。
図２（ａ）は、図１（ａ）に示したサムターンカバーのＡ−Ａ線矢視図、（ｂ）は、図１（ｂ）に示した磁性体のＢ−Ｂ線矢視図である。
図３（ａ）及び（ｂ）は、ロック部材と磁性体の孔との関係を示す部分図である。
図４は、本実施の形態に係るピッキング防止装置をドアにセットした状態を示す縦側断面図であり、（ａ）は、開錠状態、（ｂ）は、施錠状態をそれぞれ示している。
図５は、サムターンカバーにソレノイドを設けた本発明の第２の実施の形態に係るピッキング防止装置の部分縦側断面図である。
図６は、本発明の第３の実施の形態に係るピッキング防止装置の構成及びその設置状態を示す斜視図である。
図７（ａ）は、サムターンの一例を示す斜視図であり、（ｂ）は、図７（ａ）に示したサムターン形状に応じたサムターンカバーの一例を示す斜視図である。
図８（ａ）は、サムターンの別の例を示す斜視図であり、（ｂ）は、図８（ａ）に示したサムターン形状に応じたサムターンカバーの一例を示す斜視図である。
図９（ａ）は、サムターンの更に別の例を示す斜視図であり、（ｂ）は、図９（ａ）に示したサムターン形状に応じたサムターンカバーの一例を示す斜視図である。
図１０（ａ）は、サムターンの更に別の例を示す斜視図であり、（ｂ）は、図１０（ａ）に示したサムターン形状に応じたサムターンカバーの一例を示す斜視図である。
図１１（ａ）は、サムターンの更に別の例を示す斜視図であり、（ｂ）は、図１１（ａ）に示したサムターン形状に応じたサムターンカバーの一例を示す斜視図である。
図１２は、図６に示したピッキング防止装置の本体及びホルダの構成を示す分解斜視図である。
図１３は、図１２に示したピッキング防止装置の本体及びホルダの台座への取り付けを示す背面からの分解斜視図である。
図１４（ａ）及び（ｂ）は、図６に示したピッキング防止装置の動作を説明するための図である。
図１５は、図６に示したピッキング防止装置の作動系の構成を示すブロック図である。
図１６（ａ）及び（ｂ）は、設置条件に応じた図６のピッキング防止装置の取り付け例を示す図であり、（ａ）は、外側へ右に開くタイプのドアへの適用を、（ｂ）は、外側へ左に開くタイプのドアへの適用をそれぞれ示してある。
図１７（ａ）及び（ｂ）は、設置条件に応じた図６のピッキング防止装置の取り付け例を示す図であり、（ａ）は、通常の状態を、（ｂ）は、本体を傾けた状態をそれぞれ示してある。
図１８（ａ）及び（ｂ）は、設置条件に応じた図６のピッキング防止装置の取り付け例を示す図であり、（ａ）は、通常の状態を、（ｂ）は、本体をホルダごと上方へずらした状態をそれぞれ示してある。
図１９は、設置条件に応じた図６のピッキング防止装置の取り付け例を示す図であり、本体を横置きした状態を示している。
【図１】
2002057574.tif 000003
【図２】
2002057574.tif 000004
【図３】
2002057574.tif 000005
【図４】
2002057574.tif 000006
【図５】
2002057574.tif 000007
【図６】
2002057574.tif 000008
【図７】
2002057574.tif 000009
【図８】
2002057574.tif 000010
【図９】
2002057574.tif 000011
【図１０】
2002057574.tif 000012
【図１１】
2002057574.tif 000013
【図１２】
2002057574.tif 000014
【図１３】
2002057574.tif 000015
【図１４】
2002057574.tif 000016
【図１５】
2002057574.tif 000017
【図１６】
2002057574.tif 000018
【図１７】
2002057574.tif 000019
【図１８】
2002057574.tif 000020
【図１９】
2002057574.tif 000021
【国際調査報告】
2002057574.tif 000022
2002057574.tif 000023
2002057574.tif 000024
2002057574.tif 000025